(57)【要約】  【解決手段】  生物的選別装置および物理的選別装置を含む生物排水処理用の方法および装置が提供される。該装置は、内部生物反応器であって、該内部生物反応器において排水および再循環バイオマスが組み合わされ、高基質および高電子受容体グラジエントが提供されることにより、フロックやフィラメント形成よりも顆粒形成を好む形態学的バイオマス特徴が生成されるものである、前記内部生物反応器と、外部重量選別装置または外部スクリーン選別装置であって、バイオマス廃棄物の流れに作用して、高密度顆粒選択物を含む高密度バイオマス凝集体を収集および保持し、より軽いフィラメントおよびフロックは廃棄するものである、前記外部重量選別装置または外部スクリーン選別装置と、を有している。上記方法および装置において、核を提供するための粒子を添加し、該核粒子を包み込む凝集体の形成を促進してもよい。上記粒子は、例えば、顆粒の形成を開始させるため、または顆粒形成の核となるため、種々の物質として生物反応器に添加してよい。その場合、該顆粒は、その後、外部重量選別装置または外部スクリーン選別装置のいずれかにより分離できる、あるいはそれと一体化できる。更に、生物脱リン、脱窒メタン酸化剤、生物硫黄または硫化物酸化、メタン産生用の有機体を選択してもよい。  【選択図】  図２
2017519630.tif 000002
【特許請求の範囲】
【請求項１】
生物的選別装置と物理的選別装置とを含む生物排水処理装置であって、
内部生物反応器であって、該内部生物反応器において排水および再循環バイオマスが組み合わされ、高基質および高電子受容体グラジエントが提供されることにより、フロック（ｆｌｏｃ）およびフィラメント（ｆｉｌａｍｅｎｔ）形成よりも顆粒形成を好む形態学的バイオマス特徴が生成されるものである、前記内部生物反応器と、
外部重量選別装置であって、バイオマス廃棄物の流れに作用して、高密度顆粒選択物を含む高密度バイオマス凝集体を収集および保持し、より軽いフィラメントおよびフロックを廃棄するものである、前記外部重量選別装置と、
を有する装置。
【請求項２】
請求項１記載の装置において、前記重量選別装置は、高密度の汚泥凝集体を分離するため、液体サイクロン、遠心分離機、または外部重量沈降装置を有するものである装置。
【請求項３】
請求項２記載の装置において、前記外部物理的選別は、ポリリン酸蓄積細菌の場合のように、沈殿したリンまたは細胞内ポリリン酸の収集および除去を促進するものである装置。
【請求項４】
請求項１記載の装置において、前記重量選別装置は、特定の微生物を成長させるためのニッチ環境を発達させる嫌気性核または無酸素性核を生み出すため、前記高密度化したバイオマスに電子受容体および基質グラジエントを促進するものである装置。
【請求項５】
請求項１記載の装置において、好気性および脱窒ポリリン酸蓄積細菌、グリコーゲン蓄積、脱窒無酸素メタン酸化剤、脱窒生物硫黄または硫化物酸化、およびメタン産生を含む、生物脱リンのための微生物の環境が選択されるものである装置。
【請求項６】
請求項１記載の装置において、該装置は、高密度化した凝集体が提供する生物的選別により、脱リンを達成するために本式の嫌気性選別装置を必要としないが、脱リン機能および信頼性を改善する嫌気性選別装置を更に有するものである装置。
【請求項７】
請求項１記載の装置において、更に、
脱リンおよびバイオマスの高密度凝集体構造を達成する前段階の無酸素選別装置または無酸素ゾーンを有し、これにより、硝酸塩が核内へ侵入する物質移動に対する抵抗が提供されるものである装置。
【請求項８】
マグネシウム、カルシウムまたはアルカリ分の補足追加により、あるいは補足追加なしに、重量選別を用いて、スツルバイトまたは固形物リン酸カルシウムの形態の沈殿したリンを、嫌気的に消化した、または消化しつつある固形物から分離する装置であって、重量選別装置を有する装置。
【請求項９】
請求項８記載の装置において、前記重量選別装置は、液体サイクロン、遠心分離機、外部重量沈降装置、または高密度の汚泥凝集体を分離するためのあらゆる重量方法を有するものである装置。
【請求項１０】
請求項１または８記載の装置において、前記外部重量選別装置は、ポリヒドロキシアルカノエート、ポリリン酸塩、無機リン含有鉱物またはアルギネートを優先的に回収するものである装置。
【請求項１１】
請求項１記載の装置において、更に、
沈降機と通気タンクとを有し、
前記内部生物的選別装置は、前記沈降機と前記通気タンクとの間に配置された区画部に構築されており、
前記沈降した汚泥は、前記沈降機から、前記タンクの底部にある排水管によって、排水が導入される前記選別装置の区画部へ再循環され、混合液体は、接触ゾーンである該区画部から、前記タンクの底部にある配水管へ供給されるものである装置。
【請求項１２】
生物的選別装置および物理的選別装置を組み合わせる生物排水処理方法であって、
内部生物反応器内で排水と再循環バイオマスを混合して、高基質および高電子受容体グラジエントを提供することにより、フロックおよびフィラメント形成よりも顆粒形成を好む形態学的バイオマス特徴を生成する工程と、
外部重量選別装置をバイオマス廃棄物の流れに作用させ、高密度顆粒選択物を含む高密度バイオマス凝集体を収集および保持し、より軽いフィラメントおよびフロックと廃棄する工程と、
を有する方法。
【請求項１３】
請求項１２記載の方法において、前記重量選別装置は、液体サイクロン、遠心分離機、外部重量沈降装置、または高密度の汚泥凝集体を分離するためのあらゆる重量方法を有するものである方法。
【請求項１４】
請求項１３記載の方法において、前記外部重量選別装置は、ポリリン酸蓄積細菌の場合のように、沈殿したリンまたは細胞内ポリリン酸の収集および除去を促進するものである方法。
【請求項１５】
請求項１２記載の方法において、更に、
特定の微生物を成長させるためのニッチ環境を発達させる嫌気性核または無酸素性核を生み出すため、高密度化したバイオマスに電子受容体および基質グラジエントを促進する重量選別処理を実施する工程を有するものである方法。
【請求項１６】
請求項１２記載の方法において、好気性および脱窒ポリリン酸蓄積細菌、グリコーゲン蓄積、脱窒無酸素メタン酸化剤、脱窒生物硫黄または硫化物酸化、およびメタン産生を含む微生物が、生物脱リンのために選択されるものである方法。
【請求項１７】
請求項１２記載の方法において、更に、脱リン機能および信頼性を改善するために本式の嫌気性選別装置を動作させる工程を有し、
前記高密度化した凝集体が提供する生物的選別のため、前記本式の嫌気性選別装置は、脱リンを達成するために任意選択的なものである方法。
【請求項１８】
請求項１２記載の方法において、更に、
脱リンおよびバイオマスの高密度凝集体構造を達成する前段階の無酸素選別装置またはゾーンにより、硝酸塩が核内へ侵入する物質移動に対する抵抗を提供する工程をするものである方法。
【請求項１９】
マグネシウム、カルシウムまたはアルカリ分の補足追加により、あるいは補足追加なしに、重量選別処理を用いて、スツルバイトまたは固形物リン酸カルシウムの形態の沈殿したリンを、嫌気的に消化した、または消化しつつある固形物から分離する方法。
【請求項２０】
請求項１９記載の方法において、前記重量選別処理は、ポリリン酸蓄積細菌の場合のように、沈殿したリンまたは細胞内ポリリン酸の収集および除去を促進するものである方法。
【請求項２１】
請求項１２または１９記載の方法において、前記外部重量選別処理は、ポリヒドロキシアルカノエート、ポリリン酸塩、無機リン含有鉱物またはアルギネートを回収するものである方法。
【請求項２２】
生物的選別装置と物理的選別装置とを含む生物排水処理装置であって、
内部生物反応器であって、該内部生物反応器において排水および再循環バイオマスが組み合わされ、高基質および高電子受容体グラジエントが提供されることにより、フロックおよびフィラメント形成よりも顆粒形成を好む形態学的バイオマス特徴が生成されるものである、前記内部生物反応器と、
外部スクリーン選別装置であって、バイオマス廃棄流に作用して、非圧縮可能な顆粒選択物を好む該廃棄流から大きいサイズの汚泥凝集体を収集および保持し、圧縮可能なフィラメントおよびフロックを廃棄するものである、前記外部スクリーン選別装置と、
を有する装置。
【請求項２３】
請求項２２記載の装置において、特定の微生物を成長させるためのニッチ環境を発達させる嫌気性核または無酸素性核を生み出すため、前記形態が、電子受容体および基質グラジエントを促進するものである装置。
【請求項２４】
請求項２２記載の装置において、ニッチ環境全体にわたって基質または代謝物の近接移動を可能にするため、前記形態が、電子受容体および基質グラジエントを促進するものである装置。
【請求項２５】
請求項２２記載の装置において、前記選択物が、沈殿したリンの収集および除去を促進するものである装置。
【請求項２６】
マグネシウム、カルシウムまたはアルカリ分の補足追加により、あるいは補足追加なしに、外部スクリーン選別装置を通して、スツルバイトまたは固形物リン酸カルシウムの形態の沈殿したリンを、嫌気的に消化した、または消化しつつある固形物から分離する装置であって、
外部スクリーン選別装置であって、非圧縮可能な顆粒選択物を好む廃棄流から大きいサイズの汚泥凝集体を収集および保持し、圧縮可能なフィラメントおよびフロックを廃棄する、前記外部スクリーン選別装置、
を有する装置。
【請求項２７】
請求項２４記載の装置において、生物脱リン、脱窒メタン酸化剤、生物硫黄または硫化物酸化、メタン産生のために、微生物が選択されるものである装置。
【請求項２８】
生物的選別装置および物理的選別装置を含む生物排水処理装置であって、
内部生物反応器であって、該内部生物反応器において排水および再循環バイオマスが組み合わされ、高基質および高電子受容体グラジエントが提供されることにより、フロックおよびフィラメント形成よりも顆粒形成を好む形態学的バイオマス特徴が生成されるものである、前記内部生物反応器と、
外部スクリーン選別装置または外部重量選別装置と、
を有し、
前記内部生物反応器は、顆粒形成の核となる粒子状物質、あるいは顆粒形成を促進する粒子状物質を受け取るように構成されており、前記顆粒は前記核となる粒子を包み込むバイオマスを有するものである、
装置。
【請求項２９】
請求項２８記載の装置において、前記粒子状物質は、灰、藻類、植物の種、アルギネート、スツルバイト、または固形物リン酸カルシウムを有するものである装置。
【請求項３０】
請求項２２記載の装置において、前記外部物理的選別装置は、ポリリン酸蓄積細菌の場合のように、沈殿したリンまたは細胞内ポリリン酸の収集および除去を促進するものである装置。
【請求項３１】
請求項２２記載の装置において、前記外部スクリーン選別装置は、特定の微生物を成長させるためのニッチ環境を発達させる嫌気性核または無酸素性核を生み出すため、高密度化したバイオマスに電子受容体および基質グラジエントを促進するものである装置。
【請求項３２】
請求項２２記載の装置において、好気性および脱窒ポリリン酸蓄積細菌、グリコーゲン蓄積、脱窒無酸素メタン酸化剤、脱窒生物硫黄または硫化物酸化、およびメタン産生を含む、生物脱リンのための微生物の環境が選択されるものである装置。
【請求項３３】
請求項２２記載の装置において、該装置は、高密度化した凝集体が提供する生物的選別により、脱リンを達成するために本式の嫌気性選別装置を必要としないが、脱リン機能および信頼性を改善するために嫌気性選別装置を更に有するものである装置。
【請求項３４】
請求項１記載の装置において、更に、
脱リンを達成する前段階の無酸素選別装置または無酸素ゾーンを有し、バイオマスの高密度凝集体構造は、硝酸塩が核内へ侵入する物質移動に対する抵抗を提供するものである装置。
【請求項３５】
マグネシウム、カルシウムまたはアルカリ分の補足追加により、あるいは補足追加なしに、スクリーン選別を用いて、スツルバイトまたは固形物リン酸カルシウムの形態の沈殿したリンを、嫌気的に消化した、または消化しつつある固形物から分離する装置であって、
スクリーン選別装置を有する装置。
【請求項３６】
請求項２２記載の装置において、前記外部スクリーン選別装置は、ポリヒドロキシアルカノエート、ポリリン酸塩、無機リン含有鉱物またはアルギネートを優先的に回収するように構成されているものである装置。
【請求項３７】
請求項２２記載の装置において、更に、
沈降機および通気タンクを有し、
前記内部生物的選別装置は、前記沈降機と前記通気タンクとの間にある区画部に構築されており、
前記沈降した汚泥は、前記沈降機から、前記タンクの底部にある排水管によって、排水が導入される前記選別装置の区画部へ再循環され、混合液体は、接触ゾーンである該区画部から、前記タンクの底部にある配水管へ供給されるものである装置。
【請求項３８】
生物的選別装置および物理的選別装置を組み合わせる生物排水処理方法であって、
内部生物反応器内で排水と再循環バイオマスを混合して、高基質および高電子受容体グラジエントを提供することにより、フロックおよびフィラメント形成よりも顆粒形成を好む形態学的バイオマス特徴を生成する工程と、
外部スクリーン選別装置をバイオマス廃棄物の流れに作用させ、非圧縮可能な顆粒選択物を好む廃棄流から大きいサイズの汚泥凝集体を収集および保持し、圧縮可能なフィラメントおよびフロックを廃棄する工程と、
を有する方法。
【請求項３９】
請求項３８記載の方法において、前記外部スクリーン選別装置を動作させることにより、ポリリン酸蓄積細菌の場合のように、沈殿したリンまたは細胞内ポリリン酸の収集および除去を促進するものである方法。
【請求項４０】
請求項３８記載の方法において、前記外部スクリーン選別装置を動作させることにより、高密度化したバイオマスに電子受容体および基質グラジエントが促進され、特定の微生物を成長させるためのニッチ環境を発達させる嫌気性核または無酸素性核が生成されるものである方法。
【請求項４１】
請求項３８記載の方法において、好気性および脱窒ポリリン酸蓄積細菌、グリコーゲン蓄積、脱窒無酸素メタン酸化剤、脱窒生物硫黄または硫化物酸化、およびメタン産生を含む、生物脱リンのための微生物の環境が選択されるものである方法。
【請求項４２】
請求項３８記載の方法において、更に、脱リン機能および信頼性を改善するために本式の嫌気性選別装置を動作させる工程を有し、
前記高密度化した凝集体が提供する生物的選別のため、前記本式の嫌気性選別装置は、脱リンを達成するために任意選択的なものである方法。
【請求項４３】
請求項３８記載の方法において、更に、
硝酸塩が核内へ侵入する物質移動に対する抵抗を提供する工程を有し、前段階の無酸素選別装置または無酸素ゾーンは、脱リンおよびバイオマスの高密度凝集体構造を達成するものである方法。
【請求項４４】
マグネシウム、カルシウムまたはアルカリ分の補足追加により、あるいは補足追加なしに、スクリーン選別を用いて、スツルバイトまたは固形物リン酸カルシウムの形態の沈殿したリンを、嫌気的に消化した、または消化しつつある固形物から分離する方法。
【請求項４５】
請求項３８または４４記載の方法において、前記外部スクリーン選別は、ポリヒドロキシアルカノエート、ポリリン酸塩、無機リン含有鉱物またはアルギネートを回収するものである方法。
【発明の詳細な説明】
【技術分野】
【０００１】
関連出願の相互参照
本出願は、その全体を参照として本明細書に援用する、２０１４年６月３０日付けで出願された「Ｍｅｔｈｏｄ  ａｎｄ  Ａｐｐａｒａｔｕｓ  ｆｏｒ  Ｗａｓｔｅｗａｔｅｒ  Ｔｒｅａｔｍｅｎｔ  Ｕｓｉｎｇ  Ｅｘｔｅｒｎａｌ  Ｇｒａｖｉｍｅｔｒｉｃ  Ｓｅｌｅｃｔｉｏｎ（外部重量選別を用いる排水処理の方法および装置）」と題する米国仮特許出願第６２／０１９，２１０号の優先権およびその恩恵を主張する。
【０００２】
本開示は、一般的に、排水処理用の方法および装置に関し、特に、サイズ選別または重量選別を用いた排水処理用の方法および装置に関している。
【背景技術】
【０００３】
好気性顆粒汚泥処理
排水処理用の顆粒バイオマス工程は、元々、上向流嫌気性汚泥床法（ｕｐｆｌｏｗ  ａｎａｅｒｏｂｉｃ  ｓｌｕｄｇｅ  ｂｌａｎｋｅｔ  ｐｒｏｃｅｓｓ：ＵＡＳＢ）等の嫌気性処理に限定されており、その場合、ＵＡＳＢは、特殊製造の上向流反応器を用いて設定される顆粒バイオマスに依存しており、それは発酵微生物、酸生成微生物、酢酸生成微生物、メタン生成微生物を含む数種類の異なる綱に属する微生物の共生成長を可能にするものである。好気性顆粒汚泥法の基礎となる追加の開発が、１９９７年には既に文献に報告されている（Ｍｏｒｇｅｎｒｏｔｈ  Ｅ，Ｓｈｅｒｄｅｎ  Ｔ，ｖａｎ  Ｌｏｏｓｄｒｅｃｈｔ  ＭＣＭ，Ｈｅｉｊｎｅｎ  ＪＪ，Ｗｉｌｄｅｒｅｒ  ＰＡ．Ａｅｒｏｂｉｃ  ｇｒａｎｕｌａｒ  ｓｌｕｄｇｅ  ｉｎ  ａ  ｓｅｑｕｅｎｃｉｎｇ  ｂａｔｃｈ  ｒｅａｃｔｏｒ．Ｗａｔｅｒ  Ｒｅｓ  １９９７；３１：３１９１−４）。斯かる方法は、綿状バイオマスよりも高密度で粒子径も大きいバイオマスを特徴としており、今日では、逐次回分反応器および上向流カラム反応器または高剪断条件を提供する反応器と関連した特殊製造の反応器で全て達成されている。顆粒バイオマスは約０．１ｍｍから５ｍｍの範囲の粒子径、３５〜５０ｍＬ／ｇ未満の汚泥容量指標（ＳＶＩ３０ｍｉｎ）およびＳＶＩ３０ｍｉｎに類似のＳＶＩ５ｍｉｎを有している。同様に、綿状バイオマスの沈降速度は約１ｍ／ｈであるが、好気性顆粒のそれは１０ｍ／ｈ超である。綿状バイオマスと比較した顆粒汚泥の改善された沈降性は、当該開示の方法および装置の重要な特長の１つである。
【０００４】
好気性顆粒汚泥の重要な利点の１つは、分離された物理的タンク容量に必要なあらゆる条件下で、顆粒内にニッチ条件を生成できることである。フロックや従来の活性汚泥は拡散抵抗の影響を受ける（Ｓｈａｗ等）が、好気性顆粒汚泥は顆粒の内部および外部の相対拡散抵抗を利用し、物理的タンク構成内ではなく、当該顆粒の内部および外部に、異なる個体群を同時に成長させることができる。好気性顆粒汚泥に関して主張されている利点は、顆粒のサイズの故に基質および電子受容体グラジエントが顆粒内に生じ、その結果、ポリリン酸蓄積細菌（ＰＡＯ）、グリコーゲン蓄積細菌（ＧＡＯ）、嫌気性アンモニア酸化細菌（アナモックス）および脱窒性従属栄養細菌は顆粒の中心近くに蓄積するが、好気性細菌は、硝化細菌や好気性従属栄養細菌も含めて、顆粒の外側近くに蓄積することである。
【０００５】
斯かる方法の１例が脱リンに関して以下で更に説明される。
【０００６】
脱リン
排水の脱リンは、一般的に、鉄塩またはアルミニウム塩を用いた化学的沈殿、あるいは生物脱リンを提供するポリリン酸蓄積細菌の蓄積を可能にする嫌気性選別装置の適用により達成される。斯かる方法はいずれも、本明細書に開示される方法およびシステムと比較して欠点を有している。本明細書記載の方法およびシステムによれば、本式の嫌気性選別装置を必要とせず、化学的沈殿も伴わずに、安定で信頼の置ける脱リンおよび脱窒が達成できる。
【０００７】
化学脱リン
沈殿物形成により脱リンするのに使用される化学物質としては、アルミニウム、第三鉄および第二鉄の硫化物または塩化物が挙げられる。斯かる化学物質は、主要浄化の前の生物処理（通常活性汚泥）中に添加してもよいし、あるいは三次浄化処理または濾過処理の前の主要浄化処理中に添加してもよい。次に、沈殿したリンは、主要浄化器を出る固形物流れ、廃棄物バイオマス、三次浄化器の固形物、またはフィルタの逆流廃棄物と一緒に、排水からそれぞれ除去される。斯かる方法の問題点としては、化学物質の購入、アルカリ分の添加を潜在的に必要とする斯かる化学物質の添加によるアルカリ分の消費および更なる化学物質の購入、追加の汚泥の発生、更なる処理および廃棄の必要性等が含まれる。
【０００８】
生物脱リン
排水処理の分野においては、生物脱リン（ｂｉｏＰ）が公知であり、化学物資の購入コストの減少、アルカリ分の需要および汚泥の発生の点で化学脱リンよりも有利であるが、境界を設定した本式の嫌気性ゾーンの必要性、溶解酸素または窒素の酸化形態（亜硝酸塩および硝酸塩）の汚染のない期間の必要性、揮発性脂肪酸（ＶＦＡ）濃度の点で適切な排水特性の必要性、および工程の信頼性の低下および混乱が頻繁に発生するという点で欠点を有している。一般的に、ｂｉｏＰは、リン酸塩蓄積細菌（ＰＡＯｓ）の蓄積により達成されるが、斯かる微生物は、リンをポリリン酸塩（ｐｏｌｙ−Ｐ）の形でエネルギー源として保存する。嫌気性条件下で、ＰＯＡｓはｐｏｌｙ−Ｐからリン酸塩を切断し、リン酸塩をバルク液体に放出し、それによりＶＦＡ摂取に必要なエネルギーを獲得する。ＶＦＡはポリヒドロキシブチレート（ＰＨＢ）等の細胞内高分子として貯蔵される。ＰＡＯｓは、嫌気性条件下でグリコーゲンの分解から還元性当量体も取得する。ＰＡＯｓは、嫌気性条件下で、リン酸塩を摂取して細胞内のｐｏｌｙ−Ｐプールを改質し、蓄えられたＰＨＢを分解し、通常の異化および同化経路を通して成長源およびエネルギー源とする。グリコーゲンも嫌気性条件下で改質される。従って、ｂｉｏＰ処理は、一般的に、綿状バイオマスを図１に概略図で示す代替嫌気性条件および好気性条件に移すことにより達成される。図１は、一般的にＡ２／Ｏ（またはＰｈｏｒｅｄｏｘ）として知られる処理を表すもので、両方のｂｉｏＰすなわち硝化および脱窒が可能である。斯かる処理に必要なのは、酢酸塩またはより一般的にＶＦＡの形態の適切な分解可能有機材料を有する本式の嫌気性選別装置ゾーンである。
【０００９】
ＶＦＡとリンの比率が適切であれば、ＰＡＯｓは嫌気性ゾーンに放出されるリン酸塩および排水中の追加のリン酸塩の全てを取り込むことができ、それによりバイオマス廃棄物を通してリン酸塩の正味の除去が達成できる。図１に示されるＡ２／Ｏ処理に関連する１つの問題点は、戻り活性汚泥（ＲＡＳ）流に含まれる硝酸塩が嫌気性ゾーンに侵入可能なことであり、これがｂｉｏＰ処理を妨害することが知られている。斯かる開示に関連する別の側面は、一部のＰＡＯｓによる脱窒能力であり（ｄＰＡＯ）、それにより硝酸塩が酸素の代わりに電子受容体として機能し、その結果、無酸素ゾーンでリンが取り込まれることである。ｄＰＡＯによるリンの取り込みは好気性条件下における取り込みよりはるかに緩慢であることが知られているが、斯かる代謝を最大限にする重要な利点は、流入する排水に含まれる同じ有機炭素プールを用いて、ｂｉｏＰと脱窒の両方が達成できることである。ｂｉｏＰ処理の限界は、流出全リン限度を首尾一貫して低くするという点で信頼度が低いこと、流入する排水中の適量のＶＦＡの利用可能性に厳密に依存していること等が挙げられる。
【００１０】
好気性顆粒バイオマス用の反応器の構成
斯かる反応器の１つが米国特許第５，９８５，１５０号明細書（Ｂｉｏｔｈａｎｅ  Ｓｙｓｔｅｍｓ  Ｉｎｔｅｒｎａｔｉｏｎａｌ  Ｂ．Ｖ．に譲渡されたように見える）に記載されている。この特許において、顆粒汚泥を排水処理に使用して向上した剪断力を提供するエアリフト反応器が開示されている。顆粒汚泥は上向きに流れるガスと共に運ばれて沈降領域に入り、顆粒バイオマス選別処理における相対オーバーフロー率を助けると共に、底流は反応器の通気部分に戻される。
【００１１】
米国特許第６，５６６，１１９号明細書は、逐次回分反応器によって達成される好気性顆粒汚泥処理を記載しているが、該逐次回分反応器は、優れた沈降特性を有する顆粒バイオマスを選別するために、極めて短い沈降期間およびデカント期間で操作される。
【００１２】
米国特許第６，７９３，８２２号は、顆粒が例えば（特許文献２）の方法により逐次回分反応器で作られ、拡散バブル通気システムのガス空塔高速度が提供する剪断力で改善された、好気性顆粒汚泥処理を記載している。
【００１３】
米国特許出願公開第２００６／００３２８１５号明細書は、Ｒｏｙａｌ  Ｈａｓｋｏｎｉｎｇ  ＤＨＶによりフルスケールのＮｅｒｅｄａ（登録）プロセスとして市販されているように見える、好気性顆粒汚泥処理を記載している。この逐次回分反応器による好気性顆粒汚泥処理の特徴は、緩慢に沈降するバイオマス部分をプロセス自体から廃棄し、排水を淀んだ嫌気性の沈降顆粒層を通して上向流として供給する点にある。その結果、ＰＡＯおよびＧＡＯが定着している顆粒内にＶＦＡを拡散できる。このプロセスは、次に通気され、硝化／脱窒およびｄＰＡＯによる脱窒を同時に達成する。
【００１４】
国際公開第２０１３／１５１４３４号は、Ｒｏｙａｌ  Ｈａｓｋｏｎｉｎｇ  ＤＨＶに譲渡されているようにみえるが、活性汚泥処理における沈降性並びに脱窒および脱リンの点で恩恵を得るため、（特許文献４）に開示されているような顆粒汚泥処理から通常の活性汚泥処理等の綿状バイオマス処理へ廃棄バイオマスを移すことを記載している。
【００１５】
国際公開第２０１２／１７５４８９号は、米国特許出願公開第２００６／００３２８１５号明細書に類似しており、嫌気性条件下で顆粒床を流動化することにより該処理を改善しているように見えるが、通気の前の嫌気性期間中に更なる混合を提供している。
【００１６】
国際公開第２００８／１４１４１３号は、顆粒化並びに脱リンおよび脱窒を促進させるように操作される逐次回分反応器を記載しており、追加される特徴として、嫌気性のリン放出期間後、反応器の内容物の一部を反応器から廃棄し、化学的にリン酸塩を沈殿させている。
【００１７】
アナモックス顆粒形成および蓄積のための外部重量選別
米国特許出願公開第２０１１／０１９８２８４号明細書は、顆粒を含む嫌気性アンモニア酸化細菌（アナモックス）の形成および蓄積のために、外部重量選別装置を処理に適用している旨を記載している。この開示において、選別装置は、液体サイクロン、遠心分離機あるいは高オーバーフロー率重力沈降装置のいずれであっても良いように見える。この開示は、主流処理あるいは副流処理のいずれかにおいて、アナモックスバイオマスを選別するにあたり、外部重量選別装置を使用する正当性を証明しているように見える。
【００１８】
沈降性改善のための外部重量選別
米国特許出願公開第２０１４／０１４４８３６号明細書は、バイオマスの沈降性を改善するため、浮遊生物処理法において顆粒バイオマスを選別するための外部重量選別装置の使用を記載している。この開示において、選別装置は、液体サイクロン、遠心分離機あるいは高オーバーフロー率重力沈降装置のいずれであっても良いように見える。この開示は、優秀な沈降特性を有するバイオマスを選別するにあたり、外部重量選別装置を使用する正当性を証明しているように見える。
【００１９】
スツルバイト沈殿による脱窒および脱リン
スツルバイトは、高レベルのリン酸塩およびアンモニア並びに制限されているが十分量のマグネシウムの故に、嫌気性消化中並びに汚泥配管、脱水設備および汚泥脱水液配管内において頻繁に形成される。低ｐＨがスツルバイトの沈殿を制限する場合が多い。スツルバイトの沈殿および回収は、脱窒および脱リンを達成するのに使用でき、これは、例えば、米国特許第７６２２０４７号明細書に記載されているように、マグネシウムおよびアルカリ分を添加する上向流の流動層反応器を用いて行われている。更に、嫌気的に消化された汚泥から過剰のマグネシウムおよびリンを、アルカリ分を添加することにより、あるいは通気して過剰の二酸化炭素を除きｐＨを上げることにより除去し、その後沈殿したスツルバイトを回収すれば、下流における意図しないスツルバイトの生成およびそれに関連する保守点検の必要性を減らすことができる。
【００２０】
選別装置または方法は、重量選別の代わりに、サイズに基づいて選別するフィルタまたはスクリーンであってもよい。
【発明の開示】
【課題を解決するための手段】
【００２１】
本開示の観点によれば、特殊目的で製造された反応器で顆粒（ｇｒａｎｕｌｅ）汚泥処理を実施することにより、効率的な生物脱リンが達成できることが知られており、更に、バイオマス高密度化および／または顆粒化を達成するため、浮遊生物活性汚泥処理に外部重量選別装置を適用できることも知られており、従って、活性汚泥処理に外部重量選別装置を適用することにより、高密度化または顆粒化を通し、生物脱リンが達成できる、あるいは改善できる。重量選別装置は、液体サイクロン、遠心分離機、重量沈降装置、あるいは密度に基づいて選別可能なあらゆる重量装置であってよい。サイズ選別装置はスクリーン、フィルタまたは膜であってよい。更に、外部選別装置は高密度のバイオマス凝集体および顆粒汚泥の蓄積を提供し、それにより基質および電子受容体の濃度グラジエントが達成され、その結果、顆粒の中心近くにＰＡＯ、ｄＰＡＯ等の微生物用の嫌気性空間の蓄積が可能となり、従って、嫌気性選別装置ゾーンおよび好気性選別装置ゾーンを有する意図的に構築されたタンクや時間系列なしに、生物脱リン等の処理を効率的に達成できる。本式の嫌気性ゾーンとは、溶解酸素および酸化形態の窒素の量は最小限であるが、ＶＦＡは高濃度であることを意味する。しかし、顆粒の形成および高密度化されたバイオマス凝集体は、嫌気性反応器の区画部の適用と良く適合する。嫌気性の環境を要求する改善された処理は、戻り活性汚泥（ＲＡＳ）または内部混合液再循環（ＭＬＲ）流を通して斯かるゾーンに導入される酸素または硝酸塩に余り影響を受けなくなっているからである。
【００２２】
本開示の１観点によれば、生物排水処理用の装置が開示される。当該装置は生物的選別装置および物理的選別装置を含んでいる。当該装置は、内部生物反応器であって、該内部生物反応器において排水および再循環バイオマスが組み合わされ、高基質および高電子受容体グラジエントが提供されることにより、フロック（ｆｌｏｃ）およびフィラメント形成よりも顆粒形成を好む形態学的バイオマス特徴が生成されるものである、前記内部生物反応器と、外部重量選別装置またはサイズ選別装置であって、バイオマス廃棄物の流れに作用し、高密度顆粒選択物またはより大きい顆粒選択物を含む高密度バイオマス凝集体またはより大きいバイオマス凝集体を収集および保持し、より小さいまたは軽量のフィラメントおよびフロックを廃棄するものである、前記外部重量選別装置またはサイズ選別装置と、を含む。
【００２３】
重量選別装置は、液体サイクロン、遠心分離機、外部重量沈降装置、または高密度の汚泥凝集体を分離するためのあらゆる重量方法を含んでよい。
【００２４】
サイズ選別装置は、大きい汚泥凝集体を分離するためのスクリーン、フィルタまたは膜装置を含んでよい。
【００２５】
外部物理的選別装置は、ポリリン酸蓄積細菌の場合のように、沈殿したリンまたは細胞内ポリリン酸の収集および除去を促進する。
【００２６】
重量選別装置は、特定の微生物を成長させるためのニッチ環境を発達させる嫌気性核または無酸素性核を生み出すため、高密度化したバイオマス中に電子受容体および基質グラジエントを促進してもよい。
【００２７】
好気性および脱窒ポリリン酸蓄積細菌、グリコーゲン蓄積、脱窒無酸素メタン酸化剤、脱窒生物硫黄または硫化物酸化、およびメタン産生を含む、生物脱リンのための微生物の環境が選択されてよい。
【００２８】
高密度化した凝集体が提供する生物的選別により、脱リンを達成するために本式の嫌気性選別装置は必要としないが、本式の嫌気性選別装置を含む場合、脱リン機能および信頼性が更に改善される。
【００２９】
前段階の無酸素選別装置または無酸素ゾーンは、脱リンおよびバイオマスの高密度凝集体構造を達成し、硝酸塩が核内へ侵入する物質移動に抵抗するのに十分である。
【００３０】
本開示の更なる観点によれば、マグネシウム、カルシウムまたはアルカリ分の補足追加により、あるいは補足追加なしに、重量選別を用いて、スツルバイトまたは固形物リン酸カルシウムの形態の沈殿したリンを、嫌気的に消化した、または消化しつつある固形物から分離する装置が開示され、その場合、該装置は重量選別装置を含む。重量選別装置は、液体サイクロン、遠心分離機、外部重量沈降装置、または高密度の汚泥凝集体を分離するためのあらゆる重量方法を含んでよい。サイズ選別装置は、スクリーン、フィルタ、膜装置、または大きい凝集体を分離するための他のあらゆる選別方法を含んでよい。
【００３１】
外部重量選別装置は、ポリヒドロキシアルカノエート、ポリリン酸塩、無機リン含有鉱物またはアルギネートを優先的に回収するのに使用してよい。
【００３２】
外部サイズ選別装置は、ポリヒドロキシアルカノエート、ポリリン酸塩、無機リン含有鉱物またはアルギネートを優先的に回収するのに使用してよい。
【００３３】
上記装置は、更に、沈降機および通気タンクを含み、内部生物的選別装置は沈降機と通気タンクとの間にある区画部に構築されており、沈降した汚泥は、沈降機から、例えばタンクの底部にある排水管によって、排水が導入される上記選別装置区画部へ再循環され、混合液体は、接触ゾーンである該区画部から、例えばタンクの底部にある配水管へ供給される。
【００３４】
本開示の更なる観点によれば、生物的選別装置および物理的選別装置を組み合わせる生物排水処理方法が開示されており、該方法は、内部生物反応器内で排水と再循環バイオマスを混合して、高基質および高電子受容体グラジエントを提供することにより、フロックおよびフィラメント形成よりも顆粒形成を好む形態学的バイオマス特徴を生成する工程と、外部重量選別装置をバイオマス廃棄物の流れに作用させ、高密度顆粒選択物を含む高密度または大きいバイオマス凝集体を収集および保持し、より軽いフィラメントおよびフロックは廃棄する工程と、を含む。
【００３５】
上記方法は、ポリリン酸蓄積細菌の場合のように、沈殿したリンまたは細胞内ポリリン酸の収集および除去を促進するために、外部重量選別を実施する工程を更に含んでよい。
【００３６】
上記方法は、更に、特定の微生物を成長させるためのニッチ環境を発達させる嫌気性核または無酸素性核を生み出すため、高密度化したバイオマスまたは大きいバイオマスに電子受容体および基質グラジエントを促進する重量選別処理またはサイズ選別処理を実施する工程を含んでよい。
【００３７】
好気性および脱窒ポリリン酸蓄積細菌、グリコーゲン蓄積、脱窒無酸素メタン酸化剤、脱窒生物硫黄または硫化物酸化、およびメタン産生を含む、生物脱リンのための微生物の環境を選択してよい。
【００３８】
更なる観点では、マグネシウム、カルシウムまたはアルカリ分の補足追加により、あるいは補足追加なしに、重量選別を用いて、スツルバイトまたは固形物リン酸カルシウムの形態の沈殿したリンを、嫌気的に消化した、または消化しつつある固形物から分離する方法が開示されている。
【００３９】
更なる観点では、生物的選別装置および物理的選別装置を含む生物排水処理装置が開示されており、該装置は、内部生物反応器であって、排水および再循環バイオマスが組み合わされ、高基質および高電子受容体グラジエントが提供されることにより、フロックおよびフィラメント形成よりも顆粒形成を好む形態学的バイオマス特徴が生成されるものである、前記内部生物反応器と、外部スクリーン選別装置であって、バイオマス廃棄流に作用して、非圧縮可能な顆粒選択物を好む前記廃棄流から大きいサイズの汚泥凝集体を収集および保持し、圧縮可能なフィラメントおよびフロックを廃棄するものである、前記外部スクリーン選別装置と、を含む。
【００４０】
特定の微生物を成長させるためのニッチ環境を発達させる嫌気性核または無酸素性核を生み出すため、前記形態が、電子受容体および基質グラジエントを促進する。
【００４１】
ニッチ環境全体にわたって基質または代謝物の近接移動を可能にするため、前記形態が、電子受容体および基質グラジエントを促進する。
【００４２】
上記選別が、沈殿したリンの収集および除去を促進する。
【００４３】
本開示の更なる観点によれば、マグネシウム、カルシウムまたはアルカリ分の補足追加により、あるいは補足追加なしに、外部スクリーン選別装置を通して、スツルバイトまたは固形物リン酸カルシウムの形態の沈殿したリンを、嫌気的に消化した、または消化しつつある固形物から分離する装置が開示されており、該装置は、非圧縮可能な顆粒選択物を好む廃棄流から大きいサイズの汚泥凝集体を収集および保持し、圧縮可能なフィラメントおよびフロックを廃棄する外部スクリーン選別装置を含んでいる。
【００４４】
生物脱リン、脱窒メタン酸化剤、生物硫黄または硫化物酸化、メタン産生のための微生物の環境が選択される。
【図面の簡単な説明】
【００４５】
【図１】図１は、既知のＡ２／Ｏシステムの工程系統図の一例を示す。
【図２】図２は、本開示の一態様による、液体サイクロン形態の外部重量選別装置を有するＡ２／Ｏシステムの一例を示す。
【図３】図３は、本開示の更なる態様による、液体サイクロン形態の外部重量選別装置を有するＭＬＥシステムの一例を示す。
【図４】図４は、本開示の更なる態様による、液体サイクロン形態の代替外部重量選別装置を有するＭＬＥシステムの一例を示す。
【図５】図５は、嫌気性選別装置と液体サイクロン形態の外部重量選別装置を有する、複合一体型浄化器／生物活性汚泥システムの一例を示す。
【図６】図６は、本開示の原理に基づく、ｂｉｏＰへの液体サイクロン操作の影響および化学的リン沈殿から生物脱リンへの移行の一例を示す。
【図７】図７は、本開示の原理に基づく、ｂｉｏＰへの液体サイクロン操作の影響、および化学脱リンのための金属添加をゼロ用量へ段階的に減少させる場合の一例を示す。
【図８】図８は、本開示の原理に基づく、ｂｉｏＰへの液体サイクロン操作の影響の一例を示すもので、活性汚泥バイオマス中のリン含有量は、主流中の混合液揮発性浮遊物質（ＭＬＶＳＳ）に２．８％から４．５％の範囲で含まれており、副流処理において１．３％から２．３％の範囲で含まれていることを示している。
【図９Ａ】図９Ａから図９Ｃは、本開示の外部重量選別装置の代わりにサイズ選別用に含めてもよいスクリーニング装置の、１実施形態における３つの斜視図を示す。
【図９Ｂ】図９Ａから図９Ｃは、本開示の外部重量選別装置の代わりにサイズ選別用に含めてもよいスクリーニング装置の、１実施形態における３つの斜視図を示す。
【図９Ｃ】図９Ａから図９Ｃは、本開示の外部重量選別装置の代わりにサイズ選別用に含めてもよいスクリーニング装置の、１実施形態における３つの斜視図を示す。
【発明を実施するための形態】
【００４６】
本開示、その種々の特徴および有利な点の詳細は、添付の図面で記載および／または図示され、以下の記載および添付書類で詳細に記載される非制限的な実施形態および実施例を参考にして、以下に更に詳細に説明される。図面および添付書類で図示される特徴は必ずしも縮尺通りではなく、本明細書で明示されていなくても、当業者は認識しているように、１つの実施形態の特徴は他の実施形態でも利用可能である。本開示の実施形態を不必要に曖昧にしないようにするため、周知の構成要素および処理技術の記載は省略してある。本明細書に使用される実施例は、本開示の実施方法の理解を助け、当業者が本開示の実施形態を実施できるようにするためのみを意図して記載してある。従って、本明細書に記載の実施例および実施形態は、本開示の範囲を制限するように解釈されるべきではない。更に、いくつかの図面全体に亘って、類似の符号は類似の構成部分を示している。
【００４７】
本開示で使用される「含めて」、「含んでなる」と言う用語およびそれらの変形は、他に特別な記載がない限り、「限定されないが、含めて」と言う意味である。
【００４８】
本開示で使用される不定冠詞（「ａ」および「ａｎ」）並びに定冠詞（「ｔｈｅ」）は、他に特別な記載がない限り、「１若しくはそれ以上」を意味する。
【００４９】
互いに連通している装置は、他に特別な記載がない限り、互いに連続して連通している必要はない。加えて、互いに連通している装置は、１若しくはそれ以上の中間体を通して、直接または間接に連通していてもよい。
【００５０】
処理工程、方法工程、アルゴリズム等は順番に記載されていても、斯かる処理、方法およびアルゴリズムは、異なる順番で機能するように構成可能である。すなわち、順番や工程順が記載されてあったとしても、工程をその順番通りに実施しなければならないと言う意味では必ずしもない。本明細書記載の処理、方法またはアルゴリズムの工程は、実用的な順番で実行してよい。更に、いくつかの工程は同時に実行してもよい。
【００５１】
１つの装置または物品が本明細書に記載してあった場合、１つの装置または物品の代わりに、２つ以上の装置または物品が使用可能であることは明白である。同様に、２つ以上の装置または物品が本明細書に記載してあった場合、２つ以上の装置または物品の代わりに、１つの装置または物品が使用可能であることは明白である。１つの装置の機能または特徴は、斯かる機能または特徴を有しているとは明記されていない１若しくはそれ以上の他の装置により置き換えることが可能である。
【００５２】
図１は既知のＡ２／Ｏ活性汚泥処理システム１００（および処理）の一例を示す。システム１００は、主要浄化器１１０、嫌気性ゾーン１２０、無酸素ゾーン１３０、好気性ゾーン１４０、分離装置または第二浄化器１５０および複数のポンプ１６０、１７０、１８０を含む。
【００５３】
システム１００は、前処理（図示しない）を含んでもよく、前処理は、バースクリーン（図示しない）、沈砂除去機（図示しない）、前処理チャンバ（図示しない）および流入水ポンプ（図示しない）を含んでもよい。システム１００は、例えば下水システム等の外部源（図示しない）から排水１０５を受け取り、前処理段階で該排水１０５を処理し、缶、ぼろ布、棒、プラスチック袋等の大きい物体を排水１０５から除去してもよい。前処理段階は前処理チャンバ（図示しない）を含んでもよく、該チャンバは流入する排水１０５の速度を調整するために砂チャンバまたは沈砂チャンバを含んでもよく、それにより砂、沈砂、石、破損ガラス等の沈降を可能にしてもよい。前処理段階は、脂肪や脂質等を除去するタンク（図示しない）を更に含んでもよい。
【００５４】
前処理段階（図示しない）後、残った固形物／液体混合物１０５は、蓄積固形物を有する過剰の排水を含んでいるが、重力沈降のために主要浄化器１１０に送られてもよい。主要浄化器１１０は、例えば長方形、円錐形、円形、楕円形等の種々の形状のうちの１つを有するタンク（例えば浄化器タンク、堆積物タンク等）を含んでもよい。主要浄化器１１０は、固形物除去を改善するため、化学素材またはバラスト素材を有していてもよい。その結果得られる底流（ｕｎｄｅｒｆｌｏｗ）は、主要浄化器１１０から出て、当業者には周知の濃縮処理、安定化処理、コンディショニング、脱水処理、汚泥処理等の更なる処理を行うために固形物処理へ送られてもよい。その結果得られる主要浄化器からの流出流（ｏｕｔｐｕｔ）１１５は、流れ１４５として分離装置１５０に送られる前の更なる処理として、嫌気性ゾーン１２０、無酸素ゾーン１３０および好気性ゾーン１４０に送られてもよい。好気性ゾーンからの流出流１４５は、ＭＬＲポンプ１６０によりＭＬＲポンプ流出流１６５を経て無酸素ゾーン１３０に送られてもよい。分離装置１５０からの底流は、ＲＡＳポンプ１７０によりＲＡＳポンプ流出流ライン１７５を経て嫌気性ゾーンの流入口へ送り戻されてもよい。該底流は、分離装置１５０から出て、当業者には周知の濃縮処理、安定化処理、コンディショニング、脱水処理、汚泥処理等の更なる処理を行うために、ＷＡＳポンプ１８０を経て固形物処理へ送られてもよい。
【００５５】
システム１００は、生物脱リン、硝化および脱窒を行うことができる。嫌気性ゾーン１２０に送られる戻り活性汚泥流１７５（ＲＡＳ）に含まれる硝酸塩の移送の故に、斯かるシステムにおけるｂｉｏＰの信頼性には問題が残るかもしれない。
【００５６】
図２は、本開示の原理に基づくＡ２／Ｏ活性汚泥処理システム２００（および処理）の一例を示す。図１に示されるシステム１００の追加部分として、システム２００は、ポンプ２５０およびライン２４５、２６５を経て好気性ゾーン１４０と流体連通している重量選別装置２６０を含んでいる。重量選別装置（ｇｒａｖｉｍｅｔｒｉｃ  ｓｅｌｅｃｔｏｒ）の流出流２８５は、濃縮処理、安定化処理、コンディショニング、脱水処理、汚泥処理等の更なる処理を行うために、更なる処理成分と一緒にされてもよい。
【００５７】
図２に示されるように、廃棄流２４５は、好気性ゾーン１４０から直接（例えば反応器タンク（図示しない）から直接）受け取られ、顆粒高密度バイオマス生産のために、ポンプ２５０を経て外部重量選別装置２６０に送られてもよい。重量選別装置２６０としては、例えば、液体サイクロン等が挙げられる。より高密度で大きい粒子２６５は重量選別装置２８５から好気性ゾーン（例えば反応器（図示しない））に戻され、より軽い画分２８５は廃棄固形物を代表するものとしてシステム２００から取り出されてもよい。重量選別装置２６０を含み実行することにより、ｂｉｏＰの性能は向上し、（図１に示される）システム１００の信頼性が改善される。
【００５８】
図９Ａから図９Ｃは、外部サイズ選別装置であり本開示の外部重量選別装置２６０に含めてもよいスクリーン装置、フィルタ装置または膜装置１０の１例示的実施形態を示す３つの斜視図である。
【００５９】
図９Ａから図９Ｃを参照すると、重量選別装置２６０はスクリーン装置、フィルタ装置または膜装置１０を含んでもよく、該装置は、廃棄流１（または図２の排水流２４５）を受け取り、該流れを内部粒子／固形物分離装置２を経て廃棄成分に分け、廃棄流３（または図２のＷＡＳ２８５）へ流出し、上記廃棄成分は４（または図２の２６５）に保持される。スクリーン装置、フィルタ装置または膜装置１０は、密度の代わりにサイズと圧縮可能性に基づいて流れを分ける。
【００６０】
スクリーニング処理を更に助けるため、ガス、液体または物質の組み合わせを用いるスクリーンウォッシュ５を任意に加えてもよい。スクリーンウォッシュ５は、固形物保持時間に異なる影響を及ぼすように、様々な方向からスクリーン２に向けることができ、該方向には、限定されないが、縦軸に沿った方向（図９Ａ）、スクリーンの垂直方向に角度を与えた方向（図９Ｂ）または水平軸に沿った方向（図９Ｃ）が含まれる。
【００６１】
（図１に示す）システム１００または（図２に示す）システム２００において、凝集体の形成を促進するための核を提供する粒子を加えてもよく、その場合、核となる粒子は該凝集体に包み込まれる。粒子は、顆粒形成を開始させるため、あるいはその核となるため、例えば生物反応器に種々の物質として加えてもよく、その場合、それは次に外部重量または外部スクリーンにより分離できる、またはそれと一体化できる。
【００６２】
更に、生物脱リン、脱窒メタン酸化剤、生物硫黄または硫化物酸化、メタン産生のために、微生物をシステム１００（または２００）において選択してもよい。
【００６３】
全体を参照として本明細書に援用する米国特許出願公開第２０１４／０１３２７３号は、排水処理を改善するため、本開示の重量選別装置２６０に使用可能なスクリーンを用いて、活性汚泥処理用の固形物を選別しそれを保持するための方法および装置の１例を開示している。
【００６４】
図３は、本開示の原理に基づくＭＬＥ活性汚泥処理システム３００（および処理）の１例を示す。図２に示すシステム２００と異なり、システム３００は嫌気性ゾーン１２０を含んでいない。従って、主要浄化器１１０からのアウトプット流１１５は無酸素ゾーン１３０に直接送られる。重量選別装置２６０がなければ、システム３００は硝化と脱窒しかできず、ｂｉｏＰ活動は限定されるか存在しないことになる。システム３００に（例えば図３に示す構成の）重量選別装置２６０を用いることにより、該システムは顆粒バイオマス生産を提供し、より高密度で大きい粒子２６５は好気性ゾーン１４０（例えば反応器（図示しない））へ戻し、廃棄固形物を代表する軽い画分２８５はシステム３００から取り出される。システム３００は、例えばＰＡＯおよびｄＰＡＯが蓄積できる顆粒バイオマス粒子の中心近くに生態学的ニッチを提供することにより、信頼でき首尾一貫性のあるｂｉｏＰを提供する。
【００６５】
図４は図３に示されるシステム３００に類似したシステム４００の１例を示しており、同じ利点を全て有しているが、外部重量選別装置２６０は、好気性ゾーン１４０（例えば好気性ゾーン１４０の通気タンクバイオマス（図示しない））ではなく、戻り活性汚泥流１７５に適用される。
【００６６】
図５は、嫌気性選別装置および液体サイクロン形態の外部重量選別装置を有する複合一体型浄化器／生物活性汚泥処理の１例を示す。追加された外部重量選別装置は、標準嫌気性選別装置を使用する生物的選別と外部重量選別装置の新規適用を用いる物理的選別とを組み合わせることにより、ｂｉｏＰの性能を改善する。
【００６７】
図６は、例えばシステム３００（または２００または４００）における外部重量選別装置の影響の１例を示す。特に、図６は、ストラス排水処理工場（液体サイクロンバイオマス廃棄システムを含めて、図３に示すＭＬＥ処理を使用する）におけるｂｉｏＰへ及ぼす液体サイクロン重量選別装置の影響を示している。データは、生物脱リン効率／信頼性への段階的増加に伴う、化学脱リンへの依存の減少を示している。化学脱リンにおけるアルミン酸ナトリウムの添加は完全に排除された。
【００６８】
図７は、バイオマス廃棄にシステム２００（または３００または４００）を用いた、ストラス排水処理工場におけるアルミン酸ナトリウム用量の減少の１例を示す。
【００６９】
図８は、例えばシステム２００（または３００または４００）を用いた、ストラス排水処理工場における液体サイクロン操作の影響の１例を示す。実験中、回収されたバイオマスサンプルのリン含有量は、従来のｂｉｏＰ工場の典型的な値まで増大した。ストラス工場は嫌気性選別装置を有していないので、この点は重要である。従来の非ｂｉｏＰバイオマスには、約１．５％から２．０％のＰ／ＭＬＶＳＳが含まれていると予想される。図８のデータは、活性汚泥バイオマス中のリン含有量が、副流処理において、主流に２．８％から４．５％の範囲のＰ／ＭＬＶＳＳで含まれていることを示している。
【００７０】
従って、前述の記載から明らかなように、嫌気性選別装置を有しない工場において、外部重量選別装置がｂｉｏＰを達成できている。しかし、既に嫌気性選別装置を有しｂｉｏＰ（生物的選別を有する）の設計がなされている工場においては、外部重量選別装置を加えることにより、ｂｉｏＰの信頼性および効率が改善できる。
【００７１】
本開示は、（嫌気性選別装置を有する）生物的選別と（外部選別装置を有する）物理的選別を組み合わせたシステムを提供する。
【００７２】
本開示の原理によれば、外部重量選別装置使用の結果、更に高密度の顆粒が選別され、それがｄＰＡＯおよびＰＡＯに適した生態学的ニッチを提供し、ｄＰＡＯおよびＰＡＯ自体がポリリン酸塩顆粒の故に更に密度を増すので、外部重量選別装置を用いた顆粒形成は、ＰＡＯおよびｄＰＡＯを蓄積させ物理的に選別させる別の能力を提供しており、ＰＡＯおよびｄＰＡＯはポリリン酸塩顆粒の故に更に高い密度を有しているので、重量選別装置（例えば液体サイクロン）は、斯かる微生物を更に効率よく選別できる。
【００７３】
通気期間または通気ゾーンにおいて、顆粒の内部は高バルクＤＯ（溶存酸素）から保護されているが、硝化により生じた硝酸塩が存在し顆粒の内部に拡散するので、例えば図１に示されるシステム１００と比較し、外部重量選別装置はＰＡＯよりもｄＰＡＯを優先的に選択する。硝酸塩はｄＰＡＯに利用可能となり、その結果、ＶＦＡが脱窒と脱リンの両方に使用されるという恩恵が提供され、ひいては通常ｄＰＡＯ活性がＰＡＯ活性のほんの僅かでしかない従来の処理と比べて、排水中の炭素がより効率的に脱窒および脱リンに利用できる。
【００７４】
本開示の原理に従ってＷＷＴＰストラス工場で行われている実験では、主要生物処理において、上流Ａ段階（図示しない）で低汚泥保持時間（ＳＲＴ）により高率の脱炭素が提供され、下流の低ＳＲＴシステム（Ｂ段階、図示しない）で主に脱窒が提供される。Ｂ段階は２つの処理レーンから成っており、各レーンが連続した２つの回転式タンクを有しており、そのすべてに拡散器が備わっている。活性汚泥タンクの流出水におけるオンライン測定アンモニアおよび硝酸塩の値に基づいて、特定のＤＯ設定値および硝化効率を達成するように通気が制御される。連続タンクの第二タンク（図示しない）は、硝化されたバイオマスに酸素を供給するため主に通気され、連続タンクの第一タンク（図示しない）は、従属栄養バイオマスに無酸素環境を提供し再循環された硝酸塩（ＭＬＥモード）を脱窒するため、ほとんど通気されない。アンモニア濃度が限界値近くまで上昇したら、第一タンクは通気され、追加硝化機能を有するスイングゾーンとして機能させてもよい。
【００７５】
ＷＷＴＰストラス工場における最初の設計では金属添加による化学脱リンが見込まれており、嫌気性ゾーンは実施されていないので生物脱リンは目標ではなかったし、ほとんどの有機酸はＡ段階で既に除去されているので、ｂｉｏＰ活動は全く欠如している。最近、脱窒処理の効率を改善するため、アナモックス顆粒が汚泥液（ＤＥＭＯＮ（登録）処理）の副流処理システムにおいて増強され、全体を参照として本明細書に援用する米国特許公開出願第２０１１／０１９８２８４  Ａ１の開示による液体サイクロンの使用により、主流システムにおいてそれが保持されている。上記公開特許出願に記載されているように、サイクロンは、アナモックス顆粒を保持するためだけでなく、ＰＡＯｓおよびｄＰＡＯｓに環境ニッチを提供しｂｉｏＰ活動を向上させる目的で、更に高密度の活性汚泥フロックを形成および選択するのに使用してよい。次に、流出水アンモニア濃度を限界値（例えば１ｍｇＰ／Ｌ）未満の低い値に維持しながら、金属添加率を段階的に減らしてもよい。少なくとも１つの実験では、添加率はゼロに設定され、その結果、重量選別装置の連続操作による生物処理のみで、濃度が約５ｍｇＰ／Ｌから１ｍｇＰ／Ｌに減少した。バイオマスのＶＳＳ中のリン含有量３％から４．５％を示す測定値により、高いリン蓄積能力がはっきりと確認された。
【００７６】
本発明の原理によれば、重量選別装置（例えば液体サイクロン）によって選別される更に高密度の汚泥凝集体のｂｉｏＰ活動は、専用の嫌気性反応器ゾーンがなくても、大幅に改善できる。更に、重量選別装置および生物的選別装置として機能する嫌気性ゾーンを組み合わせることにより、ｂｉｏＰ活動は、例えば更に高密度のバイオマス凝集体が下水または全処理プロセスから直接送られる高濃度の排水と接触する場所において、更に向上する。嫌気性のＶＦＡの取り込みおよび貯蔵により更に高密度のバイオマスの発生が促進され、その結果、斯かる凝集体は、廃棄流の物理的選別処理によって蓄積される。斯かる嫌気性ゾーンは、上流側、例えば排水が活性汚泥システムに供給される生物処理の前部末端（例えば図２に示されるような場所）において、実施されてよい。
【００７７】
あるいは、例えば図５に示されるように、嫌気性ゾーンは、沈降機と１若しくはそれ以上の通気タンクとの間に位置する区画部に構築されてもよい。沈降した汚泥は、例えばタンクの底部に提供される排水管により沈降機から再循環してもよい。沈降した汚泥は、例えば排水管によって、排水が導入される嫌気性区画部に供給され、混合液体は、この接触ゾーンから、例えば最終的に（例えば図５に示されるような）タンクの底部にある配水管へ供給されてもよい。斯かる実施は、例えばＰＣＴ／ＡＴ００／００３２２および／またはＰＣＴ／ＡＴ２０１１／０００００１に記載のＢＩＯＣＯＳプロセスと両立できるものである（いずれも参照として本明細書に援用され、沈降機の底部の汚泥再循環パイプおよび上記排水管に吸引圧力を提供するエアリフト（マンモスポンプ）を有する、交互使用設定の沈降タンクを既に含んでいる）。
【００７８】
加えて、上記システムは、例えば混合液を通気タンクの底部に供給するのに使用されるエアリフトポンプ（図示しない）の供給ヘッドまたは圧力ヘッドと高濃度になった汚泥とが接触する場所に別の区画部を提供するため、沈降機と通気タンクの間に複数の壁（例えば二重壁）を有してもよい。エアリフトポンプが作動していないサイクル段階中にも、連続した供給流れを当該接触区画部に導入でき、固形物の多い液体に基質が供給できる。  
【００７９】
本開示は例示的実施形態により記載されているが、当業者は本開示が添付の特許請求の項の精神および範囲内で改変可能であることを認識するであろう。斯かる例は単なる例示に過ぎず、本開示の可能な設計、実施形態、適用または改変の全てを網羅したものではない。
【図１】
2017519630.tif 000003
【図２】
2017519630.tif 000004
【図３】
2017519630.tif 000005
【図４】
2017519630.tif 000006
【図５】
2017519630.tif 000007
【図６】
2017519630.tif 000008
【図７】
2017519630.tif 000009
【図８】
2017519630.tif 000010
【図９Ａ】
2017519630.tif 000011
【図９Ｂ】
2017519630.tif 000012
【図９Ｃ】
2017519630.tif 000013
【手続補正書】
【提出日】平成29年1月27日(2017.1.27)
【手続補正１】
【補正対象書類名】明細書
【補正対象項目名】００２０
【補正方法】変更
【補正の内容】
【００２０】
選別装置または方法は、重量選別の代わりに、サイズに基づいて選別するフィルタまたはスクリーンであってもよい。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  国際公開第２０１４／０８５６６２号
（特許文献２）  米国特許出願公開第２００７／１４４９６５号明細書
（特許文献３）  米国特許出願公開第２０１０／１７０８４５号明細書
（特許文献４）  米国特許出願公開第２０１３／１９６４０３号明細書
（特許文献５）  国際公開第２０１３／１５１４３４号
（特許文献６）  国際公開第２００８／１４１４１３号
（特許文献７）  米国特許出願公開第２００５／０８７４８０号明細書
【国際調査報告】
2017519630.tif 000014
2017519630.tif 000015
2017519630.tif 000016
2017519630.tif 000017
2017519630.tif 000018
2017519630.tif 000019
2017519630.tif 000020